(57)【要約】      （修正有）【課題】一度の原稿搬送で原稿の表裏画像を読み取る構成において、メモリサイズを大型化することなく、長尺原稿の両面読取が可能な画像読取装置を提供する。【解決手段】通常サイズの原稿である場合は、表面の画像データを画像バッファ（Ａ）２６１に記憶するとともに、裏面の画像データを画像バッファ（Ｂ）２６３に記憶する。原稿サイズが長尺である場合は、表面の画像データを画像バッファ２６１（Ａ）に記憶させずにコントローラ３００に送信するとともに、裏面の画像データを画像バッファ（Ａ）２６１及び画像バッファ（Ｂ）２６３に記憶する。【選択図】図３
2008278297.tif 000002
【特許請求の範囲】
【請求項１】
画像処理装置と通信可能な画像読取装置であって、
原稿の第一面の画像を読み取る第１の読取手段と、
前記第１の読取手段により読み取られた画像を記憶する第１の記憶手段と、
原稿の第二面の画像を読み取る第２の読取手段と、
前記第２の読取手段により読み取られた画像を記憶する第２の記憶手段と、
前記第１の記憶手段及び前記第２の記憶手段に記憶された画像を前記画像処理装置へ送信する送信手段と、
搬送方向の長さが所定長さより長い原稿に対しては、前記第１の読取手段により読み取られた第一面の画像を前記第１の記憶手段に記憶させずに前記送信手段によって前記画像処理装置に送信させるとともに、前記第２の読取手段により読み取られた第二面の画像を前記第１の記憶手段及び前記第２の記憶手段に記憶させる制御手段と、
を有することを特徴とする画像読取装置。
【請求項２】
前記制御手段は、原稿の搬送方向の長さが所定長さより長い場合は、前記第２の読取手段により読み取られた第二面の画像を前記第１の記憶手段及び前記第２の記憶手段に分割して記憶させることを特徴とする請求項１記載の画像読取装置。
【請求項３】
前記制御手段は、原稿の搬送方向の長さが所定長さより長い場合は、前記画像処理装置からの画像転送開始指示を受信するまで原稿の読取動作を開始しないことを特徴とする請求項１記載の画像読取装置。
【請求項４】
前記制御手段は、原稿の搬送方向の長さが所定長さ以下である場合は、前記第１の読取手段により読み取られた第一面の画像を前記第１の記憶手段に記憶させるとともに、前記第２の読取手段により読み取られた第二面の画像を前記第２の記憶手段に記憶させることを特徴とする請求項１記載の画像読取装置。
【請求項５】
前記制御手段は、原稿の搬送方向の長さが所定長さ以下である場合は、前記画像処理装置からの画像転送開始指示を待たずに原稿の読取動作を開始することを特徴とする請求項４記載の画像読取装置。
【発明の詳細な説明】
【技術分野】
【０００１】
本発明は、原稿の両面の画像を読み取る画像読取装置に関する。
【背景技術】
【０００２】
従来、原稿の表面の画像を読み取るセンサ、及び原稿の裏面の画像を読み取るセンサを別々に備えることで、一度の原稿搬送で原稿の表裏画像を読み取るシーケンス（１パス両面シーケンス）を備えた画像読取装置があった。
【０００３】
上記１パス両面シーケンスを実行する画像読取装置として、表面画像を格納するメモリと、裏面画像を格納するメモリとが独立に設けられたものがあった（例えば、特許文献１参照）。そして、この画像読取装置は、これら表裏のメモリから画像形成装置内に設けられた画像処理装置（以下、コントローラ）へ表裏の画像データを送信するよう構成されていた。
【特許文献１】特開２００６−１９１２２８号公報
【発明の開示】
【発明が解決しようとする課題】
【０００４】
しかしながら、上記特許文献１記載の発明では、長尺原稿（Ａ３サイズより長い長い原稿、例えば、搬送方向の長さが４２０ｍｍ以上、６３０ｍｍ以下の原稿）を読み取る場合のことまで考慮されていなかった。
【０００５】
つまり、画像読取装置のメモリサイズは、Ａ３サイズの原稿を最大解像度（例えば、６００ｄｐｉ）で読み取った画像データを格納可能なサイズとしている場合が多いが、長尺原稿の場合は読み取った画像全てをメモリに格納できないという問題があった。
【０００６】
この問題に対処するため、長尺原稿の両面読取のために、普段使用しない長尺原稿サイズまでメモリサイズを大型化することが考えられるが、より高価なメモリが必要となり、製造コストが高くなる。
【０００７】
そこで、本発明は、一度の原稿搬送で原稿の表裏画像を読み取る構成において、メモリサイズを大型化することなく、長尺原稿の両面読取が可能な画像読取装置を提供することを目的とする。
【課題を解決するための手段】
【０００８】
上記目的を達成するため、本発明に係る画像読取装置は、画像処理装置と通信可能な画像読取装置であって、原稿の第一面の画像を読み取る第１の読取手段と、前記第１の読取手段により読み取られた画像を記憶する第１の記憶手段と、原稿の第二面の画像を読み取る第２の読取手段と、前記第２の読取手段により読み取られた画像を記憶する第２の記憶手段と、前記第１の記憶手段及び前記第２の記憶手段に記憶された画像を前記画像処理装置へ送信する送信手段と、搬送方向の長さが所定長さより長い原稿に対しては、前記第１の読取手段により読み取られた第一面の画像を前記第１の記憶手段に記憶させずに前記送信手段によって前記画像処理装置に送信させるとともに、前記第２の読取手段により読み取られた第二面の画像を前記第１の記憶手段及び前記第２の記憶手段に記憶させる制御手段と、を有することを特徴とする。
【発明の効果】
【０００９】
本発明によれば、一度の原稿搬送で原稿の表裏画像を読み取る構成において、メモリサイズを大型化することなく、長尺原稿の両面読取が可能な画像読取装置を提供することができる。
【発明を実施するための最良の形態】
【００１０】
以下、本発明の一実施形態を、図面を参照し説明する。
【００１１】
［装置構成］
図１は、本実施形態における自動原稿送り装置（以下ＡＤＦ）１００及び画像読取装置（以下リーダ）２００の構成を示す断面図である。
【００１２】
給送ローラ１は、原稿トレイ３０に載置された原稿束Ｓの最上部の原稿を給送する。給送ローラ１により給送された原稿は、分離ローラ２と分離パッド２１により１枚に分離され、搬送ローラ対３により搬送されてレジストローラ４に突き当てられる。これにより、原稿はループ状になり、原稿の搬送における斜行が解消される。
【００１３】
レジストローラ４を通過した原稿は、搬送ローラ５及び大ローラ７により流し読みガラス２０１上に送られ、搬送ローラ６により搬送される。そして、搬送ローラ６を通過した原稿は、搬送ローラ１６と移動ガラス１８の間を通過して、排紙フラッパ２０及び排紙ローラ対８を介し、原稿排出トレイ３１へ排出される。
【００１４】
なお、流し読みガラス２０１から排紙ローラ対８までの搬送経路に、裏面画像読取ユニット１７があり、原稿の裏面画像を読み取ることが可能である。裏面画像読取ユニット１７はＣＩＳ（Ｃｏｎｔａｃｔ  Ｉｍａｇｅ  Ｓｅｎｓｏｒ）方式の読取ユニットであり、搬送ローラ１６と移動ガラス１８の間を通過する原稿の画像を読み取る。
【００１５】
一方、上記搬送終了後、原稿を裏返して再び流し読みガラス２０１で原稿の裏面を読み取ることも可能である。排紙ローラ対８に原稿の後端付近を噛ませた状態で排紙ローラ対８を逆転させ、排紙フラッパ２０により反転パス１９へ原稿を導く。反転パス１９に導かれた原稿はレジストローラ４へ突き当てられ、ループが形成されることにより斜行が解消される。その後、搬送ローラ５及び大ローラ７により再び原稿を流し読みガラス２０１へ移動させ、表面と同様に裏面が読み取られる。
【００１６】
リーダ２００は、原稿画像を光学的に読み取り、光電変換して画像データとして入力する装置である。リーダ２００は、流し読みガラス２０１、プラテンガラス２０２、スキャナユニット２０９、ミラー２０５、２０６、レンズ２０７、ＣＣＤ２０８を有している。スキャナユニット２０９は、ランプ２０３とミラー２０４を有している。また、シェーディング補正で用いられる白板２１０が、流し読みガラス２０１に隣接して設けられている。
【００１７】
［動作説明］
図２（ａ）〜（ｄ）は、ＡＤＦ１００及びリーダ２００の断面図である。これらの図を用いて、本実施形態における１パス両面シーケンスについて説明する。
【００１８】
リーダ２００からＡＤＦ１００に原稿の給送開始が指示されると、スキャナユニット２０９は白板２１０の直下に移動し、シェーディング補正動作を行う。また裏面画像読取ユニット１７においても、移動ガラス１８上の図示しない白基準板を用いてシェーディング補正動作を行う（図２（ａ））。
【００１９】
さらに、給送ローラ１、分離ローラ２、搬送ローラ対３により、原稿束からその最上面にある１枚の原稿だけが分離されレジストローラ４まで給送される。この間にスキャナユニット２０９は読取位置Ｒの直下へ移動し、レジストローラ４が回転すると、原稿は流し読みガラス２０１上へ搬送される（図２（ｂ））。
【００２０】
原稿の先端が読取位置Ｒを通過するタイミングで、原稿の読取動作が開始される。原稿の先端が読取位置Ｒを通過したかどうかは、リードセンサ１２が原稿先端を検知したタイミングを基準に判断される。原稿は、読取位置Ｒ上を所定の速度で搬送され、ランプ２０３により光を照射される。原稿で反射された光は、ミラー２０４、２０５、及び２０６で反射され、レンズ２０７を通過してＣＣＤ２０８に到達する。そして、ＣＣＤ２０８が光を電気信号に変換することで、原稿の画像データが得られる。
【００２１】
両面同時読みモードの場合、原稿の表面の画像が読み取られている間に、裏面画像読取ユニット１７によって原稿の裏面の画像が読み取られる（図２（ｃ））。裏面画像読取ユニット１７が裏面の画像の後端まで読み終えると、原稿は排紙ローラ対８により原稿排出トレイ３１へ排出される（図２（ｄ））。
【００２２】
また、読取位置Ｒで読み取られているＮ枚目の原稿の後端が搬送ローラ対３を通過すると、原稿トレイ３０上に載置された原稿束から（Ｎ＋１）枚目の原稿の給送が開始される。この原稿は同様に流し読みガラス２０１へ搬送され、画像読取動作が行われる。このとき、原稿がレジストローラ４に突き当てられた状態でレジストローラ４の起動タイミングを制御することにより、読取位置Ｒにおいて読み取り中の前原稿との間隔が適宜調整される。
【００２３】
原稿の読み取り及び排紙が全て完了すると、図２（ｄ）に示すように、スキャナユニット２０９を矢印の方向に移動させる。
【００２４】
［制御ブロック］
図３は、ＡＤＦ１００、リーダ２００、及びコントローラ３００の制御ブロック図である。ＡＤＦ１００、リーダ２００、及びコントローラ３００は、通信可能に接続されている。
【００２５】
ＣＰＵ２５１は、リーダ２００に設けられ、ＡＤＦ１００及びリーダ２００の制御を行う。ＣＰＵ２５１には、プログラムを格納するＲＯＭ２５２、作業領域用のランダムアクセスメモリ（以下、ＲＡＭ）２５３が接続されている。ＲＯＭ２５２にはリーダ２００及びＡＤＦ１００の制御プログラムが格納されている。ＲＡＭ２５３には、上記制御で使用される入力データや作業用データが格納されている。モータドライバ２５６は、光学系駆動モータを駆動させるためのドライバ回路である。
【００２６】
表面画像読取部２６０には、ランプ２０３、ＣＣＤ（Ｃｈａｒｇｅ  Ｃｏｕｐｌｅｄ  Ｄｅｖｉｃｅ）２０８、及びＣＣＤ２０８からの出力をディジタル画像信号に変換する信号制御部２５９が設けられており、原稿の表面（第一面）の画像を読み取る。ＣＰＵ２５１は、モータドライバ２５６及び表面画像読取部２６０を用いて、リーダ２００における画像読み取りの制御を行う。紙間補正処理部２５４は、原稿と原稿の間の紙間で信号制御部２５９のパラメータ補正を行う。
【００２７】
画像処理部（Ａ）２５５は、表面画像読取部２６０で読み取られた表面画像信号を処理し、コントローラ３００に転送する。画像バッファ（Ａ）２６１は、画像処理部（Ａ）２５５で処理された表面画像信号を一時的に格納する。
【００２８】
裏面画像読取部１１０には、ランプ１０５、ＣＩＳ１０６、及びＣＩＳ１０６からの出力をディジタル画像信号に変換する信号制御部１０７が設けられており、原稿の裏面（第二面）の画像を読み取る。ＣＰＵ２５１は、裏面画像読取部１１０を用いて、リーダ２００における画像読み取りの制御を行う。
【００２９】
画像処理部（Ｂ）２６２は、裏面画像読取部１１０で読み取られた裏面画像信号を処理し、コントローラ３００に転送する。画像バッファ（Ｂ）２６３は、画像処理部（Ｂ）２６２で処理された裏面画像信号を一時的に格納する。
【００３０】
ＡＤＦ１００には、搬送系駆動モータを駆動するためのモータドライバ１０３や、センサ１０〜１３を含む各種センサ１０４が設けられている。そして、ＣＰＵ２５１は、ソレノイド１０１、クラッチ１０２、モータドライバ１０３、及び各種センサ１０４と接続されている。
【００３１】
ＣＰＵ２５１は、ＲＯＭ２５２に格納された制御プログラムにしたがって原稿搬送を制御する。画像処理部（Ａ）２５５は、画像バッファ（Ａ）２６１に格納された表面画像データを読み出し、順次コントローラ３００に転送する。また、画像処理部（Ｂ）２６２は、画像バッファ（Ｂ）２６３に格納された裏面画像データを読み出し、順次コントローラ３００に転送する。
【００３２】
コントローラ３００は、ＣＰＵ３０１、ＲＯＭ３０２、及びＲＡＭ３０３を有する。コントローラ３００は、リーダ２００から転送された画像データに所定の画像処理を行う画像処理装置として機能する。画像処理部（Ａ）２５５を経由してコントローラ３００へ送られて来た画像信号は、画像入出力部３０４により受信され、送られた順に画像メモリ３０５に蓄積される。画像処理部３１０は、画像入出力部３０４から入力された画像、又は画像メモリ３０５に蓄積された画像に対し、各種画像処理を行う。
【００３３】
操作部３０９は、ユーザからの指示入力を受け付ける。指示入力に応じて、ＣＰＵ３０１は様々な制御を行う。例えば、ＣＰＵ３０１は、画像メモリ３０５に蓄積された画像信号を、プリンタインターフェース３１１を介して図示しないプリンタに出力する。また、ＣＰＵ３０１は、画像メモリ３０５に蓄積された画像信号を、モデム３０６で変調してＮＣＵ（Ｎｅｔｗｏｒｋ  Ｃｏｎｔｒｏｌ  Ｕｎｉｔ）３０７から外部回線に送信する。さらに、ＣＰＵ３０１は、画像メモリ３０５に蓄積された画像信号を、ＬＡＮ（Ｌｏｃａｌ  Ａｒｅａ  Ｎｅｔｗｏｒｋ）インターフェース３０８を通して他の装置やコンピュータに転送する。
【００３４】
また、ＣＰＵ３０１は、ユーザが操作部３０９で指示した機能を実行するために必要な動作をリーダ２００に指示するとともに、ＣＰＵ２５１から応答を受け取る。
【００３５】
なお、本実施形態では、ＡＤＦ１００の裏面画像読取部１１０にＣＩＳ、リーダ２００の表面画像読取部２６０にＣＣＤを使用しているが、この構成に限られない。例えば、裏面画像読取部１１０及び表面画像読取部２６０の両方にＣＩＳを使用してもよいし、両方にＣＣＤを使用してもよい。また、画像読み取りのセンサであれば何を使ってもよい。
【００３６】
［両面同時読み取り全体制御］
図４は、両面同時読み取り制御のフローチャートである。この図を用いて、本実施形態における１パス両面シーケンスの全体制御について説明する。なお、このフローチャートは、リーダ２００のＣＰＵ２５１により実行される。
【００３７】
まず、ユーザは、操作部３０９を用いて原稿読取モードを設定する。原稿読取モードとしては、長尺モードと通常モードが存在する。長尺モードとは、原稿の搬送方向の長さが所定長さより長い原稿を読み取るモードである。通常モードとは、原稿の搬送方向の長さが所定長さ以下の原稿を読み取るモードである。本実施形態における長尺モードはＡ３サイズよりも長い原稿を読み取るモードとし、通常モードは、Ａ３サイズ以下の原稿を読み取るモードとしている。
【００３８】
ＣＰＵ２５１は、操作部３０９で設定された原稿読取モードをコントローラ３００から受信する（Ｓ４００）。次に、ＣＰＵ２５１は、受信した原稿読取モードとして長尺モードが設定されたかどうかを判断する（Ｓ４０１）。
【００３９】
ＣＰＵ２５１は、通常モードが設定されたと判断した場合は、後述する通常モードで画像読み取りを行う（Ｓ４０２）。一方、ＣＰＵ２５１は、長尺モードが設定されたと判断した場合は、後述する長尺モードで画像読み取りを行う（Ｓ４０３）。
【００４０】
なお、ステップＳ４０１における長尺モードかどうかの判断はこの構成に限られるものではなく、例えば、原稿の搬送方向の長さを実際に装置が検知することで、ユーザの入力の手間を省く構成であってもよい。具体的には、レジ前センサ１１が原稿の先端を検知してから後端を検知するまでの時間に応じて、ＣＰＵ２５１が搬送方向の原稿長さを検知し、長尺原稿かどうかを判断する構成であっても構わない。
【００４１】
［通常モードにおける両面同時読み取り］
図５は、通常モードにおける両面同時読み取り制御のフローチャートである。なお、このフローチャートは、リーダ２００のＣＰＵ２５１により実行される。図５は簡単のため、原稿を１枚搬送して画像を読み取り、リーダ２００からコントローラ３００へ画像信号を転送する動作の一例を示す。なお、原稿が複数枚の場合は、ＣＰＵ２５１は基本的に本制御を枚数分繰り返す制御を行う。
【００４２】
まず、ユーザにより操作部３０９上のスタートキーが押下されると、コントローラ３００はリーダ２００に“読取開始指示”を送信する。そして、リーダ２００のＣＰＵ２５１は、“読取開始指示”を受信したかどうか判断する（Ｓ５００）。ＣＰＵ２５１が“読取開始指示”を受信したと判断した場合、ＣＰＵ２５１は、ＡＤＦ１００において読み取りのための原稿搬送動作を開始させ、コントローラ３００に“給紙開始通知”を送信する（Ｓ５０１）。
【００４３】
次に、ＣＰＵ２５１は、原稿が１枚搬送されて原稿の先端が読取位置Ｒに到達するまで待つ（Ｓ５０２）。ＣＰＵ２５１が原稿の先端が読取位置Ｒに達したと判断した場合、ＣＰＵ２５１は、原稿の搬送を継続しつつ原稿の表面の画像を表面画像読取部２６０に読み取らせる。そして、ＣＰＵ２５１は、表面画像読取部２６０により読み取られた画像を、画像処理部（Ａ）２５５により画像バッファ（Ａ）２６１に格納させる（Ｓ５０３）。
【００４４】
次に、ＣＰＵ２５１は、原稿の先端が裏面画像読取ユニット１７の読取位置に到達するまで待つ（Ｓ５０４）。ＣＰＵ２５１が原稿の先端が裏面画像読取ユニット１７の読取位置に達したと判断した場合、ＣＰＵ２５１は、原稿の裏面の画像を裏面画像読取部１１０に読み取らせる。そして、ＣＰＵ２５１は、裏面画像読取部１１０により読み取られた画像を画像処理部（Ｂ）２６２により画像バッファ（Ｂ）２６３に格納させる（Ｓ５０５）。なお、表面と裏面の画像読取動作は並列に動作可能である。
【００４５】
コントローラ３００は、表面画像の受け取り準備が整い次第、リーダ２００に“表面転送開始指示”を送信する。リーダ２００のＣＰＵ２５１は、コントローラ３００から“表面転送開始指示”を受信したかどうかを判断する（Ｓ５０６）。ＣＰＵ２５１が“表面転送開始指示”を受信したと判断した場合、ＣＰＵ２５１は、画像バッファ（Ａ）２６１に一時的に格納されている表面の画像を画像処理部（Ａ）２５５によりコントローラ３００に転送させる（Ｓ５０７）。なお、このとき、表面画像の読み取りが終了している必要はなく、ＣＰＵ２５１は原稿読取中に表面画像の転送を開始しても構わない。
【００４６】
その後、ＣＰＵ２５１は、表面画像の転送と並行して実行されていた裏面画像の読取が終了したかどうかを判断する（Ｓ５０８）。ＣＰＵ２５１は、裏面画像の読取が終了したと判断した場合、表面画像の転送が終了したかどうかを判断する（Ｓ５０９）。ＣＰＵ２５１は、表面画像の転送が終了したと判断した場合、コントローラ３００に“表面転送完了通知”を送信する（Ｓ５１０）。
【００４７】
コントローラ３００は、裏面画像の受け取り準備が整い次第、リーダ２００に“裏面転送開始指示”を送信する。リーダ２００のＣＰＵ２５１は、コントローラ３００から“裏面転送開始指示”を受信したかどうかを判断する（Ｓ５１１）。ＣＰＵ２５１が“裏面転送開始指示”を受信したと判断した場合、ＣＰＵ２５１は、画像バッファ（Ｂ）２６３に一時的に格納されている裏面の画像を画像処理部（Ｂ）２６２によりコントローラ３００に転送させる（Ｓ５１２）。
【００４８】
その後、ＣＰＵ２５１は、裏面画像の転送が終了したかどうかを判断する（Ｓ５１３）。ＣＰＵ２５１は、裏面画像の転送が終了したと判断した場合、コントローラ３００に“裏面転送完了通知”を送信し（Ｓ５１４）、読取動作を終了する。
【００４９】
図６は、通常サイズの原稿の表面画像データ及び裏面画像データのバッファ処理を示す模式図である。原稿の表面８０１は、表面画像読取部２６０で読み取られ、画像バッファ（Ａ）２６１に表面画像データ８０３として格納される。また、原稿の裏面８０２は、裏面画像読取部１１０で読み取られ、画像バッファ（Ｂ）２６３に裏面画像データ８０４として格納される。
【００５０】
ここで、画像バッファ（Ａ）２６１及び画像バッファ（Ｂ）２６３のメモリサイズは、Ａ３サイズの原稿を最大解像度（例えば、６００ｄｐｉ）で読み取った画像データを格納可能サイズである。例えば、Ａ４サイズの原稿を最大解像度で読み取った場合、図７に示されるように、画像バッファ（Ａ）２６１及び画像バッファ（Ｂ）２６３の約半分の領域を画像データが占めることになる。
【００５１】
しかし、図７に示されるように、原稿がＡ３サイズ以上のいわゆる長尺原稿の場合、これらの画像バッファに画像データが収まりきらない場合が発生する。この問題に対処すべく、以下に長尺原稿の場合の制御について説明する。
【００５２】
［長尺モードにおける両面同時読み取り］
図８は、長尺モードにおける両面同時読み取り制御のフローチャートである。なお、このフローチャートは、リーダ２００のＣＰＵ２５１により実行される。図８は簡単のため、長尺原稿を１枚搬送して画像を読み取り、リーダ２００からコントローラ３００へ画像信号を転送する動作の一例を示す。なお、原稿が複数枚の場合は、ＣＰＵ２５１は基本的に本制御を枚数分繰り返す制御を行う。
【００５３】
まず、ユーザにより操作部３０９上のスタートキーが押下されると、コントローラ３００はリーダ２００に“読取開始指示”を送信する。そして、リーダ２００のＣＰＵ２５１は、“読取開始指示”を受信したかどうか判断する（Ｓ６００）。ＣＰＵ２５１が“読取開始指示”を受信したと判断した場合、ＣＰＵ２５１は、ＡＤＦ１００において読み取りのための原稿搬送動作を開始させ、コントローラ３００に“給紙開始通知”を送信する（Ｓ６０１）。
【００５４】
次に、ＣＰＵ２５１は、原稿が１枚搬送されて原稿の先端が読取位置Ｒに到達するまで待つ（Ｓ６０２）。ＣＰＵ２５１が原稿の先端が読取位置Ｒに達したと判断した場合、ＣＰＵ２５１は、コントローラ３００から“表面転送開始指示”を受信したかどうかを判断する（Ｓ６０３）。ＣＰＵ２５１が“表面転送開始指示”を受信していないと判断した場合、ＣＰＵ２５１は、原稿搬送を停止し、表面転送開始指示”を受信するまで待つ。
【００５５】
ＣＰＵ２５１が“表面転送開始指示”を受信したと判断した場合、ＣＰＵ２５１は、原稿を搬送して読取位置Ｒを通過させ、原稿の表面の画像を表面画像読取部２６０に読み取らせる。そして、ＣＰＵ２５１は、表面画像読取部２６０により読み取られた画像を画像バッファ（Ａ）２６１に格納せずに、画像処理部（Ａ）２５５によりコントローラ３００に転送させる（Ｓ６０４）。
【００５６】
次に、ＣＰＵ２５１は、原稿の先端が裏面画像読取ユニット１７の読取位置に到達するまで待つ（Ｓ６０５）。ＣＰＵ２５１が原稿の先端が裏面画像読取ユニット１７の読取位置に達したと判断した場合、ＣＰＵ２５１は、原稿の裏面の画像を裏面画像読取部１１０に読み取らせる。そして、ＣＰＵ２５１は、裏面画像読取部１１０により読み取られた画像を画像処理部（Ｂ）２６２により画像バッファ（Ａ）２６１及び画像バッファ（Ｂ）２６３に格納する（Ｓ６０６）。
【００５７】
ステップＳ６０６の処理について、図９を用いて具体的に説明する。図９は、長尺原稿の裏面画像データのバッファ処理を示す模式図である。ステップＳ６０４で説明したように、原稿の表面９０１は、表面画像読取部２６０により読み取られ、表面の画像データは、バッファ処理されずにコントローラ３００に転送される。
【００５８】
一方、原稿の裏面９０２は裏面画像読取部１１０で読み取られ、裏面の画像データはまず画像バッファ（Ａ）２６１に転送される。そして、画像バッファ（Ａ）２６１に転送された画像データのサイズと画像バッファ（Ａ）２６１のメモリサイズが一致するまで、裏面の画像データの転送が行われる。図９の例では、裏面９０２のうち裏面（Ａ）９０３の部分に対応する画像データが、裏面画像データ（Ａ）９０５として画像バッファ（Ａ）２６１に格納される。
【００５９】
次に、画像データの転送先が画像バッファ（Ｂ）２６３に切り替えられ、裏面（Ｂ）９０４の部分に対応する画像データが、裏面画像データ（Ｂ）９０６として画像バッファ（Ｂ）２６３に格納される。つまり、裏面の画像データは、画像バッファ（Ａ）２６１と画像バッファ（Ｂ）２６３の両方に分割された状態で格納される。
【００６０】
図８の説明に戻り、ＣＰＵ２５１は、裏面画像の読取が終了したかどうかを判断する（Ｓ６０７）。ＣＰＵ２５１は、裏面画像の読取が終了したと判断した場合、表面画像の転送が終了したかどうかを判断する（Ｓ６０８）。ＣＰＵ２５１は、表面画像の転送が終了したと判断した場合、コントローラ３００に“表面転送完了通知”を送信する（Ｓ６０９）。
【００６１】
コントローラ３００は、裏面画像の受け取り準備が整い次第、リーダ２００に“裏面転送開始指示”を送信する。そして、リーダ２００のＣＰＵ２５１は、コントローラ３００から“裏面転送開始指示”を受信したかどうかを判断する（Ｓ６１０）。ＣＰＵ２５１が“裏面転送開始指示”を受信したと判断した場合、ＣＰＵ２５１は、画像バッファ（Ａ）２６１及び画像バッファ（Ｂ）２６３に一時的に格納されている裏面の画像をコントローラ３００に対して転送する（Ｓ６１１）。
【００６２】
その後、ＣＰＵ２５１は、裏面画像の転送が終了したかどうかを判断する（Ｓ６１２）。ＣＰＵ２５１は、裏面画像の転送が終了したと判断した場合、コントローラ３００に“裏面転送完了通知”を送信し（Ｓ６１３）、読取動作を終了する。
【００６３】
本実施形態によれば、長尺モードの場合は、表面画像の画像転送開始指示がコントローラ５００から出されるまで読取動作を待機しないといけない分、読取動作の開始が少し遅れる。しかし、長尺原稿の画像データを保存できるほどの大サイズの画像バッファを設ける必要がなくなり、低コスト化を実現できる。
【００６４】
すなわち、本実施形態によれば、一度の原稿搬送で原稿の表裏画像を読み取る構成において、メモリサイズを大型化することなく、長尺原稿の両面読取が可能な画像読取装置を提供することができる。
【００６５】
なお、表面画像読取部２６０は特許請求の範囲に記載の第１の読取手段に対応し、裏面画像読取部１１０は特許請求の範囲に記載の第２の読取手段に対応する。また、画像バッファ（Ａ）２６１及び画像バッファ（Ｂ）２６３は、それぞれ特許請求の範囲に記載の第１の記憶手段及び第２の記憶手段に対応する。また、コントローラ３００は特許請求の範囲に記載の画像処理装置に対応し、画像処理部（Ａ）２５５及び画像処理部（Ｂ）２６２は特許請求の範囲に記載の送信手段に対応し、ＣＰＵ２５１は特許請求の範囲に記載の制御手段に対応する。
【図面の簡単な説明】
【００６６】
【図１】画像読取装置におけるＡＤＦ１００及びリーダ２００の断面図である。
【図２】画像読取装置における１パス両面シーケンスを説明する図である。
【図３】画像読取装置におけるＡＤＦ１００、リーダ２００、コントローラ３００の制御ブロック図である。
【図４】画像読取装置における両面同時読み取りのフローチャートである。
【図５】通常モードにおける両面同時読み取り制御のフローチャートである。
【図６】通常サイズの原稿の表面画像データ及び裏面画像データのバッファ処理を示す模式図である。
【図７】長尺原稿を原稿台に載置していることを示す画像読取装置の断面図である。
【図８】長尺モードにおける両面同時読み取り制御のフローチャートである。
【図９】長尺原稿の裏面画像データのバッファ処理を示す模式図である。
【符号の説明】
【００６７】
１００  ＡＤＦ
１１０  裏面画像読取部（特許請求の範囲に記載の第２の読取手段に対応）
２００  リーダ
２５１  ＣＰＵ（特許請求の範囲に記載の制御手段に対応）
２５５  画像処理部（Ａ）（特許請求の範囲に記載の送信手段に対応）
２６０  表面画像読取部（特許請求の範囲に記載の第１の読取手段に対応）
２６１  画像バッファ（Ａ）（特許請求の範囲に記載の第１の記憶手段に対応）
２６２  画像処理部（Ｂ）（特許請求の範囲に記載の送信手段に対応）
２６３  画像バッファ（Ｂ）（特許請求の範囲に記載の第２の記憶手段に対応）
３００  コントローラ部（特許請求の範囲に記載の画像処理装置に対応）
【図１】
2008278297.tif 000003
【図２】
2008278297.tif 000004
【図３】
2008278297.tif 000005
【図４】
2008278297.tif 000006
【図５】
2008278297.tif 000007
【図６】
2008278297.tif 000008
【図７】
2008278297.tif 000009
【図８】
2008278297.tif 000010
【図９】
2008278297.tif 000011